(57)【特許請求の範囲】
【請求項１】
直流電源の出力端間に直列的に接続された相補形トランジスタ、このトランジスタの基準節点同士が接続された共通基準節点および制御節点同士が接続された共通制御節点を有するスイッチング手段と、このスイッチング手段のスイッチング出力が流れるように接続され、かつ、出力巻線の両端が共通基準節点および共通制御節点にそれぞれ接続された可飽和変流器とを有する蛍光ランプ点灯装置と；
スイッチング手段のスイッチング出力を限流するインダクタンス素子、スイッチング手段のスイッチング出力間にインダクタンス素子を介して接続された一対の電極を有する蛍光ランプおよび蛍光ランプの電極間に並列的に接続され、インダクタンス素子と直列共振回路を形成する始動用コンデンサとからなり、スイッチング手段のスイッチング出力によって付勢される負荷回路と；
蛍光ランプ点灯装置および負荷回路の回路部品が実装された回路基板と； 
口金を有し、回路基板を支持するとともに、口金と回路基板の蛍光ランプ点灯装置とが電気的に接続されるように形成された基体と；
を具備しており、インダクタンス素子および可飽和変流器が回路基板の同一面側に配置されていることを特徴とする電球形蛍光ランプ。
【発明の詳細な説明】
【０００１】
【発明の属する技術分野】
本発明は、インバータ装置、蛍光ランプ点灯装置および電球形蛍光ランプに関する。
【０００２】
【従来の技術】
近年、電球形蛍光ランプは、一般電球の代替として普及してきており、大きさも一般電球に相当する程度まで小形化されている。そして、電球形蛍光ランプは、通常、蛍光ランプ点灯装置としてハーフブリッジ形インバータ回路が用いられ、そのインバータ回路を制御する回路構成を簡素化することにより小形化が図られている。その一例として、例えば、特開平１０−３２７５８４号公報（従来技術）に開示された蛍光ランプ点灯装置があり、この回路構成を図４に示す。
【０００３】
図４に示す蛍光ランプ点灯装置２０は、Ｎチャネル形トランジスタＱ１およびＰチャネル形トランジスタＱ２からなる相補形インバータ回路２１を備え、バラストチョークＬ３の二次巻線Ｌ３ａの両端にインダクタＬ４およびコンデンサＣ５から成る共振回路２２が形成され、コンデンサＣ５の両端側がＮチャネル形トランジスタＱ１およびＰチャネル形トランジスタＱ２の各々のゲート、ソース間に接続されている。
【０００４】
バラストチョークＬ３に電流が流れると、共振回路２２が共振して共振電圧がＮチャネル形トランジスタＱ１およびＰチャネル形トランジスタＱ２の両ゲートに印加される。また、バラストチョークＬ３に流れる電流方向が変化すると、共振電圧の極性が変化する。そして、前記ゲートに印加されるゲート電圧が正の所定値以上のときにＮチャネル形トランジスタＱ１がオンし、ゲート電圧が負の所定値以上のときにＰチャネル形トランジスタＱ２がオンする。すなわち、Ｎチャネル形トランジスタＱ１およびＰチャネル形トランジスタＱ２が交互にオンオフすることにより、蛍光ランプ２３は高周波で点灯される。
【０００５】
【発明が解決しようとする課題】
蛍光ランプ点灯装置２０は、バラストチョークＬ３の二次巻線Ｌ３ａの両端に共振回路２２が接続されているので、インダクタＬ４がバラストチョークＬ３の漏れ磁束による影響を受けやすく、インバータ回路２１の誤動作が生じるおそれがある。したがって、インダクタＬ４は、回路基板上でバラストチョークＬ３から離間した位置に配設する必要があるが、このように部品間の距離を大きくすることは、回路基板の設計自由度が損なわれるとともに、回路基板の大形化につながり、電球形蛍光ランプが大形化するという欠点を有する。
【０００６】
本発明は上記問題点に鑑みなされたもので、回路基板の設計自由度が向上されて回路基板を小形化することのできる電球形蛍光ランプを提供することを目的とする。
【０００７】
【課題を解決するための手段】
本発明の電球形蛍光ランプは、直流電源の出力端間に直列的に接続された相補形トランジスタ、このトランジスタの基準節点同士が接続された共通基準節点および制御節点同士が接続された共通制御節点を有するスイッチング手段と、このスイッチング手段のスイッチング出力が流れるように接続され、かつ、出力巻線の両端が共通基準節点および共通制御節点にそれぞれ接続された可飽和変流器とを有する蛍光ランプ点灯装置と；スイッチング手段のスイッチング出力を限流するインダクタンス素子、スイッチング手段のスイッチング出力間にインダクタンス素子を介して接続された一対の電極を有する蛍光ランプおよび蛍光ランプの電極間に並列的に接続され、インダクタンス素子と直列共振回路を形成する始動用コンデンサとからなり、スイッチング手段のスイッチング出力によって付勢される負荷回路と；蛍光ランプ点灯装置および負荷回路の回路部品が実装された回路基板と；口金を有し、回路基板を支持するとともに、口金と回路基板の蛍光ランプ点灯装置とが電気的に接続されるように形成された基体と；を具備しており、インダクタンス素子および可飽和変流器が回路基板の同一面側に配置されていることを特徴とする。
【０００８】
本発明および以下の各発明において、特に言及しない限り、用語の定義および技術的意味は次のとおりとする。
【０００９】
直流電源は、バッテリ、直流電源装置、商用交流電圧を整流または整流平滑したもの、商用交流電源に整流平滑回路およびチョッパ回路を接続し整流平滑されたものなど、直流電圧を出力するものであればよい。
【００１０】
相補形トランジスタとは、Ｎチャネル形トランジスタおよびＰチャネル形トランジスタの直列回路のことをいい、Ｎチャネル形トランジスタのドレインが直流電源の正極側、Ｐチャネル形トランジスタのドレインが直流電源の負極側にして直流電源に接続される。あるいは、相補形トランジスタは、ＮＰＮ型トランジスタおよびＰＮＰ型トランジスタの直列回路のことをいい、ＮＰＮ型トランジスタのコレクタが直流電源の正極側、ＰＮＰ型トランジスタのコレクタが直流電源の負極側にして直流電源に接続されるとともに、ＮＰＮ型トランジスタおよびＰＮＰ型トランジスタの各々のエミッタ、コレクタ間にダイオードが接続される。
【００１１】
相補形トランジスタの基準節点とは、Ｎチャネル形トランジスタのソースおよびＰチャネル形トランジスタのソースのことをいい、共通基準節点とは、Ｎチャネル形トランジスタのソースおよびＰチャネル形トランジスタのソースの接続点のことをいう。あるいは、相補形トランジスタの基準節点は、ＮＰＮ型トランジスタのエミッタおよびＰＮＰ型トランジスタのエミッタのことをいい、共通基準節点は、ＮＰＮ型トランジスタのエミッタおよびＰＮＰ型トランジスタのエミッタの接続点のことをいう。
【００１２】
また、相補形トランジスタの制御節点とは、Ｎチャネル形トランジスタのゲートまたはＰチャネル形トランジスタのゲートのことをいい、共通制御節点とは、Ｎチャネル形トランジスタのゲートおよびＰチャネル形トランジスタのゲートの接続点のことをいう。あるいは、相補形トランジスタの制御節点は、ＮＰＮ型トランジスタのベースまたはＰＮＰ型トランジスタのベースのことをいい、共通制御節点は、ＮＰＮ型トランジスタのベースおよびＰＮＰ型トランジスタのベースの接続点のことをいう。
【００１３】
負荷回路は、蛍光ランプを高周波で動作するものである。
【００１４】
本発明によれば、可飽和変流器の出力巻線の両端が相補形トランジスタの共通基準節点および共通制御節点にそれぞれ接続されているので、可飽和変流器に流れる電流方向の変化により、スイッチング手段はスイッチング動作されて高周波を出力し、その高周波で負荷回路は動作される。また、負荷回路のインダクタンス素子と始動用コンデンサの共振により、可飽和変流器に流れる電流方向が変化するので、スイッチング手段はスイッチング動作し、そのスイッチング出力によって蛍光ランプが付勢される。
【００１５】
そして、可飽和変流器は出力巻線の両端が相補形トランジスタの共通基準節点および共通制御節点に接続すればよいので、回路の接続パターンが簡素化され、インダクタンス素子と同じ回路基板面側に配置されていてもインダクタンス素子の漏れ磁束による影響のない回路基板上の部位に配置しやすくなり、回路基板の設計自由度が向上するとともに回路基板を小形化することができ、小形化された電球形蛍光ランプを提供することができる。
【発明の実施の形態】
以下、本発明の一実施の形態について、図１〜図３を参照して説明する。
【００１６】
図１は、本発明の第１の実施形態を示すインバータ装置の回路図である。図中、１はインバータ装置、２はスイッチング手段としてのインバータ回路、３は負荷回路である。このインバータ装置１は、負荷回路３として蛍光ランプＦＬ等を具備しているので、蛍光ランプ点灯装置４を構成している。
【００１７】
スイッチング手段としてのインバータ回路２は、直流電源５の出力端５ａ，５ｂ間に直列的に接続された相補形トランジスタによって構成されている。すなわち、Ｎチャネル形トランジスタＴｒ１およびＰチャネル形トランジスタＴｒ２の直列回路が、Ｎチャネル形トランジスタＴｒ１のドレイン側が直流電源５の正極側、Ｐチャネル形トランジスタＴｒ２のドレイン側が直流電源５の負極側となるように接続されている。そして、Ｎチャネル形トランジスタＴｒ１の基準節点であるソースおよびＰチャネル形トランジスタＴｒ２の基準節点であるソースに対してそのソース同士が接続された共通基準節点ａおよびＮチャネル形トランジスタＴｒ１の制御節点であるゲートおよびＰチャネル形トランジスタＴｒ２の制御節点であるゲートに対してそのゲート同士が接続された共通制御節点ｂを有している。そして、Ｐチャネル形トランジスタＴｒ２のドレイン、ソース間にインバータ回路２の出力が形成されている。インバータ回路２は、Ｎチャネル形トランジスタＴｒ１およびＰチャネル形トランジスタＴｒ２が交互にオンオフ動作することにより、スイッチング出力としての高周波が出力される。なお、Ｎチャネル形トランジスタＴｒ１およびＰチャネル形トランジスタＴｒ２は、図示のように、各々、寄生ダイオードＤ１，Ｄ２を備えている。
【００１８】
インバータ回路２の出力側には、負荷回路３が接続されている。負荷回路３は、インバータ回路２のスイッチング出力を限流するインダクタンス素子としてのインダクタＬ１と、スイッチング出力の直流成分を除去する直流カット用コンデンサＣ１と、インバータ回路２の出力間にインダクタＬ１および直流カット用コンデンサＣ１を介して接続された一対のフィラメント電極ＦＬａ，ＦＬｂを有する蛍光ランプＦＬと、蛍光ランプＦＬのフィラメント電極ＦＬａ，ＦＬｂ間に並列的に接続され、インダクタＬ１と直列共振回路を形成する始動用コンデンサＣ２とから構成されている。負荷回路３は、インバータ回路２のスイッチング出力によって付勢される。
【００１９】
そして、インバータ回路２および負荷回路３の間には、可飽和変流器Ｌ２の一次巻線Ｌ２ａが接続されている。そして、可飽和変流器Ｌ２の二次巻線（出力巻線）Ｌ２ｂの両端は、抵抗Ｒ１を介してインバータ回路２の共通基準節点ａおよび共通制御節点ｂにそれぞれ接続されている。また、二次巻線（出力巻線）Ｌ２ｂの両端は、抵抗Ｒ１を介してコンデンサＣ３に接続されている。
【００２０】
また、インバータ回路２の共通基準節点ａおよび共通制御節点ｂと、直流電源５の出力端５ａ間には、起動回路６が形成されている。すなわち、出力端５ａおよび共通基準節点ａ間に、抵抗Ｒ２およびコンデンサＣ４の直列回路が接続され、抵抗Ｒ２およびコンデンサＣ４の接続点ｃと共通制御節点ｂとの間にトリガーダイオードＴＤが接続されている。トリガーダイオードＴＤは、コンデンサＣ４の両端電圧が所定値以上になると導通する。そして、コンデンサＣ４の両端電圧がＮチャネル形トランジスタＴｒ１のゲート、ソース間に印加され、Ｎチャネル形トランジスタＴｒ１がオンされる。また、出力端５ａおよび接続点ｃ間には、抵抗Ｒ３およびダイオードＤ３の直列回路が出力端５ａ側を順方向にして接続されている。コンデンサＣ４は、Ｎチャネル形トランジスタＴｒ１がオフしているときに充電され、Ｎチャネル形トランジスタＴｒ１がオンしているときに、ダイオードＤ３を介してインバータ回路２側へ放電される。
【００２１】
次に、第１の実施形態の作用について述べる。
【００２２】
直流電源５が投入されると、抵抗Ｒ２およびコンデンサＣ４の直列回路に電流が流れてコンデンサＣ４が充電される。コンデンサＣ４の両端電圧が所定電圧以上になると、トリガーダイオードＴＤが導通する。そして、コンデンサＣ４の両端電圧がＮチャネル形トランジスタＴｒ１のゲート、ソース間に印加され、Ｎチャネル形トランジスタＴｒ１がオンする。
【００２３】
Ｎチャネル形トランジスタＴｒ１がオンすると、直流電源５、出力端５ａ、Ｎチャネル形トランジスタＴｒ１のドレイン、ソース、共通基準節点ａ、可飽和変流器Ｌ２の一次巻線Ｌ２ａ、インダクタＬ１、直流カット用コンデンサＣ１、蛍光ランプＦＬのフィラメント電極ＦＬａ、始動用コンデンサＣ２、蛍光ランプＦＬのフィラメント電極ＦＬｂ、出力端５ｂおよび直流電源５の閉回路内で電流が流れ、直流カット用コンデンサＣ１および始動用コンデンサＣ２は充電され、インダクタＬ１には電磁エネルギーが蓄積される。そして、可飽和変流器Ｌ２の二次巻線Ｌ２ｂには、抵抗Ｒ１からコンデンサＣ３の方向に電流が流れ、コンデンサＣ３が充電され、共通基準節点ａおよび共通制御節点ｂ間に正電圧が印加される。この正電圧は、Ｎチャネル形トランジスタＴｒ１をオンさせる電圧である。そして、可飽和変流器Ｌ２が飽和すると、二次巻線Ｌ２ｂの両端には電圧が出力されなくなり、コンデンサＣ３の放電により、図２に示すように、Ｎチャネル形トランジスタＴｒ１のゲート、ソース間電圧（共通基準節点ａおよび共通制御節点ｂ間の電圧Ｖａｂ）が低下する。そして、Ｎチャネル形トランジスタＴｒ１のゲート、ソース間電圧が所定電圧Ｖｔｈ以下になると、Ｎチャネル形トランジスタＴｒ１はオフする。
【００２４】
Ｎチャネル形トランジスタＴｒ１はオフすると、インダクタＬ１に蓄積された電磁エネルギーによる回生電流がインダクタＬ１、直流カット用コンデンサＣ１、フィラメント電極ＦＬａ、始動用コンデンサＣ２、フィラメント電極ＦＬｂ、Ｐ形チャネルトランジスタＴｒ２の寄生ダイオードＤ２、共通基準節点ａ、可飽和変流器Ｌ２の一次巻線Ｌ２ａおよびインダクタＬ１の閉回路内で流れ、直流カット用コンデンサＣ１および始動用コンデンサＣ２はさらに充電される。
【００２５】
そして、インダクタＬ１に蓄積された電磁エネルギーが消費されると、直流カット用コンデンサＣ１および始動用コンデンサＣ２の充電電荷による電流がインダクタＬ１、可飽和変流器Ｌ２の一次巻線Ｌ２ａ、共通基準節点ａ、Ｎチャネル形トランジスタＴｒ１の寄生ダイオードＤ１、出力端５ａ、直流電源５、出力端５ｂ、フィラメント電極ＦＬｂ、始動用コンデンサＣ２、フィラメント電極ＦＬａ、直流カット用コンデンサＣ１およびインダクタＬ１の閉回路内で流れ、インダクタＬ１に電磁エネルギーが蓄積される。この時、可飽和変流器Ｌ２の二次巻線Ｌ２ｂには、コンデンサＣ３から抵抗Ｒ１の方向に電流が流れ、コンデンサＣ３が充電され、共通基準節点ａおよび共通制御節点ｂ間に負電圧が印加されている。この負電圧が所定電圧−Ｖｔｈ以下になると、Ｐチャネル形トランジスタＴｒ２はオンする。
【００２６】
Ｐチャネル形トランジスタＴｒ２はオンすると、直流カット用コンデンサＣ１および始動用コンデンサＣ２の充電電荷による電流は、インダクタＬ１、可飽和変流器Ｌ２の一次巻線Ｌ２ａ、共通基準節点ａ、Ｐチャネル形トランジスタＴｒ１のソース、ドレイン、フィラメント電極ＦＬｂ、始動用コンデンサＣ２、フィラメント電極ＦＬａ、直流カット用コンデンサＣ１およびインダクタＬ１の閉回路内で流れ、さらにインダクタＬ１に電磁エネルギーが蓄積される。そして、可飽和変流器Ｌ２が飽和すると、二次巻線Ｌ２ｂの両端には電圧が出力されなくなり、コンデンサＣ３の放電により、図２に示すように、Ｐチャネル形トランジスタＴｒ２のゲート、ソース間電圧（共通基準節点ａおよび共通制御節点ｂ間の電圧Ｖａｂ）が上昇する。そして、Ｐチャネル形トランジスタＴｒ２のゲート、ソース間電圧が所定電圧−Ｖｔｈ以上になると、Ｐチャネル形トランジスタＴｒ２はオフする。
【００２７】
Ｐチャネル形トランジスタＴｒ２がオフすると、インダクタＬ１に蓄積された電磁エネルギーによる回生電流が、インダクタＬ１、直流カット用コンデンサＣ１、フィラメント電極ＦＬａ、始動用コンデンサＣ２、フィラメント電極ＦＬｂ、Ｐチャネル形トランジスタＴｒ２の寄生ダイオードＤ２、共通基準節点ａ、可飽和変流器Ｌ２の一次巻線Ｌ２ａおよびインダクタＬ１の閉回路内で流れる。この時、可飽和変流器Ｌ２の二次巻線Ｌ２ｂには、抵抗Ｒ１からコンデンサＣ３の方向に電流が流れ、コンデンサＣ３が充電され、共通基準節点ａおよび共通制御節点ｂ間に正電圧が印加されており、図２に示すように、この正電圧が所定電圧Ｖｔｈ以上のときに、Ｎチャネル形トランジスタＴｒ１はオンになる。そして、インバータ回路２は直流電源５から給電され、以後、上述を繰り返す。数回の繰り返しにおいて、インダクタＬ１と始動用コンデンサＣ２による高電圧の共振電圧が蛍光ランプＦＬのフィラメント電極ＦＬａ、ＦＬｂ間に印加されて、蛍光ランプＦＬは点灯する。蛍光ランプＦＬが点灯すると、インダクタＬ１に流れる電流は、大部分、フィラメント電極ＦＬａ、ＦＬｂ間に流れる。
【００２８】
上述したように、可飽和変流器Ｌ２の一次巻線Ｌ２aに流れる電流方向によって、二次巻線（出力巻線）Ｌ２ｂの両端間、すなわち、共通基準節点ａおよび共通制御節点ｂ間に正電圧または負電圧が形成されて、Ｎチャネル形トランジスタＴｒ１およびＰチャネルトランジスタＴｒ２が交互にオンオフ動作をする。このオンオフ動作によって、インバータ回路２は高周波電圧を出力し、蛍光ランプＦＬを付勢する。すなわち、蛍光ランプＦＬはインバータ回路２のスイッチング出力によって付勢される。
【００２９】
そして、可飽和変流器Ｌ２は、インバータ回路２と負荷回路３の間に接続されているので、回路基板への実装における自由度が向上し、可飽和変流器Ｌ２をインバータ回路２と負荷回路３の間の回路パターン上でインダクタＬ１から離間した位置に配設することができる。これにより、インダクタＬ１の漏れ磁束によるノイズが防止されるとともに、回路基板を小形化することができる。
【００３０】
なお、起動回路６は、最初に、Ｎチャネル形トランジスタＴｒ１をオンさせるのみである。すなわち、コンデンサＣ４は、Ｎチャネル形トランジスタＴｒ１がオフしているときに、直流電源５より抵抗Ｒ２を介して充電され、Ｎチャネル形トランジスタＴｒ１がオンしているときに、抵抗Ｒ３およびダイオードＤ３の直列回路を介してインバータ回路２側に放電される。そして、コンデンサＣ４の両端電圧がトリガーダイオードＴＤを導通させる前に、Ｐチャネル形トランジスタＴｒ２がオフし、Ｎチャネル形トランジスタＴｒ１がオンするものである。  また、上記実施形態において、負荷回路３が蛍光ランプＦＬ等である蛍光ランプ点灯装置４について説明したが、これに限らず、負荷回路は、モータ、蛍光ランプＦＬ以外の放電ランプ、白熱電球、電熱線など、インバータ回路２のスイッチング出力によって高周波で動作するものであればよい。
【００３１】
次に、本発明の第２の実施形態について説明する。
【００３２】
図３は、本発明の第２の実施形態を示す電球形放電ランプのグローブを透視した側面図である。なお、図１と同一部分には同一符号を付して説明は省略する。図中、７は電球形蛍光ランプ、８は基体である。
【００３３】
電球形蛍光ランプ７は、口金９を有する基体８、基体８に収納された図１に示す点灯回路１０、透光性を有するグローブ１１、グローブ１１に内包された蛍光ランプＦＬ等によって構成されている。点灯回路１０は、蛍光ランプ点灯装置４から蛍光ランプＦＬが除去されたものである。そして、基体８とグローブ１１とから構成される外囲器１２は、例えば、定格電力が６０Ｗの白熱電球などの一般照明用電球の規格寸法に近似する外形に形成されている。一般照明用電球とは、ＪＩＳ Ｃ ７５０１に定義されるものである。
【００３４】
基体８は、ポリブチレンテレフタレート（ＰＢＴ）などの耐熱性合成樹脂などで形成され、一端は拡開する略円筒状をなして蛍光ランプＦＬを取着するとともに、他端はエジソンタイプのＥ２６型などの口金９が被せられている。口金９は、接着剤またはかしめなどにより固定されている。そして、口金９は点灯回路１０と電気的に接続され、点灯回路１０は蛍光ランプＦＬと電気的に接続されている。すなわち、基体８は、口金９を有し、蛍光ランプ点灯装置４を支持するとともに、口金９と蛍光ランプ点灯装置４とが電気的に接続されるように形成されている。
【００３５】
グローブ１１は、透明あるいは光拡散性を有する乳白色などで、ガラスあるいは合成樹脂により、白熱電球などの一般照明用電球のガラス球とほぼ同一形状の滑らかな曲面状に形成されている。そして、開口部の縁部には、基体８の一端の内側に嵌合する図示しない嵌合縁部が形成されている。そして、グローブ１１は、蛍光ランプＦＬを内包するようにして、基体８の一端に取り付けられている。
【００３６】
点灯回路１０は、基体８に収容されて蛍光ランプＦＬの長手方向と垂直に配置された略円板状の回路基板（ＰＣ板）１３を備え、この回路基板１３の両面にＮチャネル形トランジスタＴｒ１、Ｐチャネル形トランジスタＴｒ２、インダクタＬ１、可飽和変流器Ｌ２やその他の複数の電気部品１４，１５が実装されている。そして、可飽和変流器Ｌ２は、インダクタＬ１から離間した位置で回路基板１３上に実装されている。そして、点灯回路１０は、口金９を介して給電されると動作して高周波電力を出力し、蛍光ランプＦＬを点灯させる。
【００３７】
蛍光ランプＦＬは屈曲された複数のバルブ１６を有し、このバルブ１６の内面に蛍光体（蛍光体層）が形成され、バルブ１６の内部にアルゴンなどの希ガスや水銀などが封入されている。そして、バルブ１６の両端に図示しない一対のフィラメント電極がピンチシールによって封装されている。
【００３８】
上述したように、可飽和変流器Ｌ２は、図１におけるインバータ回路２と負荷回路３の間に接続され、インダクタＬ１から離間した位置で回路基板１３上に実装されているので、インダクタＬ１の漏れ磁束による誤動作や特性変化が防止される。また、インバータ回路２と負荷回路３の間の回路パターン上に可飽和変流器Ｌ２を配設すればよいので、可飽和変流器Ｌ２を回路基板１３上に実装する設計自由度が向上し、回路基板を小形化することができる。
【００３９】
なお、電球形蛍光ランプは、蛍光ランプＦＬが露出しているものであってもよい。
【００４０】
【発明の効果】
本発明によれば、可飽和変流器の出力巻線の両端が相補形トランジスタの共通基準節点および共通制御節点にそれぞれ接続されているので、可飽和変流器に流れる電流方向の変化により、スイッチング手段はスイッチング動作されて高周波を出力し、その高周波で負荷回路を動作することができる。また、可飽和変流器は出力巻線の両端が相補形トランジスタの共通基準節点および共通制御節点に接続すればよいので、回路の接続パターンが簡素化され、インダクタンス素子と同じ回路基板面側に配置されていてもインダクタンス素子の漏れ磁束による影響のない回路基板上の部位に配置しやすくなり、回路基板の設計自由度が向上するとともに回路基板を小形化することができ、小形化された電球形蛍光ランプを提供することができる。
【図面の簡単な説明】
【図１】本発明の第１の実施形態を示すインバータ装置または蛍光ランプ点灯装置の回路図。
【図２】同じく、共通基準節点および共通制御節点間の電圧とドレイン電流を示す説明図。
【図３】本発明の第２の実施形態を示す電球形放電ランプのグローブを透視した側面図。
【図４】従来技術の蛍光ランプ点灯装置の回路図。
【符号の説明】
Ｌ２…可飽和変流器
１……インバータ装置
２……スイッチング手段としてのインバータ回路
３……負荷回路
４……蛍光ランプ点灯装置
７……電球形蛍光ランプ
８……基体
【図１】
0003690577.tif 000002
【図２】
0003690577.tif 000003
【図３】
0003690577.tif 000004
【図４】
0003690577.tif 000005